(57)【要約】【課題】容器本体内に設けられたスプリングが腐食したり劣化することを防止する。【解決手段】ウェットティッシュウォーマー１は容器本体１０と、蓋装置３０と、容器本体１０内に設けられスプリング５により押し上げられる押し上げ板４０とを備える。容器本体１０の底面にスプリング５を収納するスプリング収納壁１４が設けられ、スプリング収納壁１４の内面にスプリング５を支持する複数のリブ１５が設けられている。【選択図】図７
2020183263.tif 000002
【特許請求の範囲】
【請求項１】
ウェットティッシュを含むウェットティッシュ収納体を収納する容器本体と、
前記容器本体に開閉自在に設けられた蓋装置と、
前記容器本体内に設けられ、前記ウェットティッシュ収納体を押し上げる押し上げ板と、
前記容器本体の底面と前記押し上げ板との間に介在され、前記押し上げ板を持ち上げる押し上げ板付勢手段と、
前記蓋装置内に設けられた加熱手段とを備え、
前記容器本体の底面に、前記押し上げ板付勢手段を収納する押し上げ板付勢手段収納壁が設けられ、この押し上げ板付勢手段収納壁の内面に前記押し上げ板付勢手段を支持する複数のリブが設けられている、ウェットティッシュウォーマー。
【請求項２】
ウェットティッシュを含むウェットティッシュ収納体を収納する容器本体と、
前記容器本体に開閉自在に設けられた蓋装置と、
前記容器本体内に設けられ、前記ウェットティッシュ収納体を押し上げる押し上げ板と、
前記容器本体の底面と前記押し上げ板との間に介在され、前記押し上げ板を持ち上げる押し上げ板付勢手段と、
前記蓋装置内に設けられた加熱手段とを備え、
前記容器本体の底面に、前記押し上げ板付勢手段を収納する押し上げ板付勢手段収納壁が設けられ、
前記底面の前記押し上げ板付勢手段収納壁により囲まれた領域は、他の領域に対して上方へ盛り上がる、ウェットティッシュウォーマー。
【請求項３】
前記底面は前記押し上げ板付勢手段収納壁により囲まれた領域から前記他の領域に向かって徐々に下降している、請求項２記載のウェットティッシュウォーマー。
【請求項４】
前記押し上げ板付勢手段に、水分逃し開口が形成されている、請求項１乃至３のいずれか記載のウェットティッシュウォーマー。
【請求項５】
前記容器本体の対向する側壁に、前記押し上げ板を係止する一対のストッパ機構が設けられている、請求項１乃至４のいずれか記載のウェットティッシュウォーマー。
【発明の詳細な説明】
【技術分野】
【０００１】
本開示は、常温よりも高い温度に加熱されたウェットティッシュをその使用時に供給可能とするためのウェットティッシュウォーマーに関する。
【背景技術】
【０００２】
従来、布おしぼりの代用品として、お手拭き用、キッチン用、トイレ掃除用、乳幼児や病人のお尻拭き用などの、使い捨てタイプのウェットティッシュが幅広く使用されている。
【０００３】
特に、乳幼児や病人のお尻拭き用のウェットティッシュを、冬期等の気温の低い時期に使用する場合には、ウェットティッシュの温度が低いために、使用時に乳幼児や病人に不快感を与えてしまうという問題があった。
【０００４】
上述した問題を解決するために、ウェットティッシュを加熱するためのウェットティッシュウォーマーが開発されている。
【先行技術文献】
【特許文献】
【０００５】
【特許文献１】特開２００１−７８９１５号公報
【発明の概要】
【発明が解決しようとする課題】
【０００６】
このようなウェットティッシュウォーマーは、容器本体と、蓋装置と、容器本体内に収納されたウェットティッシュ収納体を押し上げる押し上げ板とを有し、容器本体内にはこの押し上げ板を上方へ付勢する金属製のスプリングと、押し上げ板を係止する一対のストッパ機構が設けられている。
【０００７】
ところでウェットティッシュ収納体は、内部に水分を含んだウェットティッシュを有するため、ウェットティッシュからの水分が容器本体の底面に溜まることがある。そして容器本体の底面に水分が溜まると、容器本体内に設けられた金属製のスプリングが腐食して劣化することがある。
【０００８】
本開示はこのような点を考慮してなされたものであり、容器本体内に設けられたスプリングが腐食したり劣化することのないウェットティッシュウォーマーを提供することを目的とする。
【課題を解決するための手段】
【０００９】
本開示はウェットティッシュを含むウェットティッシュ収納体を収納する容器本体と、
前記容器本体に開閉自在に設けられた蓋装置と、前記容器本体内に設けられ、前記ウェットティッシュ収納体を押し上げる押し上げ板と、前記容器本体の底面と前記押し上げ板との間に介在され、前記押し上げ板を持ち上げる押し上げ板付勢手段と、前記蓋装置内に設けられた加熱手段とを備え、前記容器本体の底面に、前記押し上げ板付勢手段を収納する押し上げ板付勢手段収納壁が設けられ、この押し上げ板付勢手段収納壁の内面に前記押し上げ板付勢手段を支持する複数のリブが設けられている、ウェットティッシュウォーマー。
【００１０】
本開示はウェットティッシュを含むウェットティッシュ収納体を収納する容器本体と、前記容器本体に開閉自在に設けられた蓋装置と、前記容器本体内に設けられ、前記ウェットティッシュ収納体を押し上げる押し上げ板と、前記容器本体の底面と前記押し上げ板との間に介在され、前記押し上げ板を持ち上げる押し上げ板付勢手段と、前記蓋装置内に設けられた加熱手段とを備え、前記容器本体の底面に、前記押し上げ板付勢手段を収納する押し上げ板付勢手段収納壁が設けられ、前記底面の前記押し上げ板付勢手段収納壁により囲まれた領域は、他の領域に対して上方へ盛り上がる、ウェットティッシュウォーマーである。
【００１１】
本開示は前記底面は前記押し上げ板付勢手段収納壁により囲まれた領域から前記他の領域に向かって徐々に下降している、ウェットティッシュウォーマーである。
【００１２】
本開示は前記押し上げ板付勢手段に、水分逃し開口が形成されている、ウェットティッシュウォーマーである。
【００１３】
本開示は前記容器本体の対向する側壁に、前記押し上げ板を係止する一対のストッパ機構が設けられている、ウェットティッシュウォーマーである。
【発明の効果】
【００１４】
本開示によれば、容器本体内に設けられたスプリングが腐食したり劣化することを確実に防止することができる。
【図面の簡単な説明】
【００１５】
【図１Ａ】図１Ａは第１の実施の形態によるウェットティッシュウォーマーの斜視図。
【図１Ｂ】図１Ｂはウェットティッシュ収納体を示す側面図。
【図２】図２は図１Ａに示したウェットティッシュウォーマーにおいて押し上げ板が上昇した状態を示す図。
【図３】図３はウェットティッシュウォーマーの外観図。
【図４Ａ】図４Ａは中蓋が閉じた状態を示すウェットティッシュウォーマーの斜視図。
【図４Ｂ】図４Ｂは蓋装置の内部構造を示す斜視図。
【図４Ｃ】図４Ｃは加熱手段を示す側面図。
【図５】図５は押し上げ板の上面をみた図。
【図６】図６は押し上げ板の底面をみた図。
【図７】図７は容器の内部構造を示す斜視図。
【図８Ａ】図８Ａはストッパ機構を示す斜視図。
【図８Ｂ】図８Ｂはストッパ機構の斜視図であって図８Ａと反対方向からみた図。
【図９Ａ】図９Ａはストッパ機構を示す側面図。
【図９Ｂ】図９Ｂは一対のストッパラックを示す側面図。
【図９Ｃ】図９Ｃはスプリングを有するストッパラックを示す側面図。
【図９Ｄ】図９Ｄはスプリングを除いたストッパラックを示す側面図。
【図１０Ａ】図１０Ａはストッパ機構の作用を示す図。
【図１０Ｂ】図１０Ｂはストッパ機構の作用を示す図。
【図１１Ａ】図１１Ａはベースと容器本体を示す図。
【図１１Ｂ】図１１Ｂは一対の案内突部と一対の案内凹状溝を示す概略図。
【図１２】図１２はベース上に蓋装置と容器本体を載置する作用を示す図。
【図１３】図１３はベース上に蓋本体と容器本体を載置する作用を示す図。
【図１４】図１４は第２の実施の形態によるウェットティッシュウォーマーの斜視図。
【図１５】図１５は蓋装置と中蓋が開放されたウェットティッシュウォーマーを示す斜視図。
【図１６】図１６は容器本体の内部構造を示す斜視図。
【図１７】図１７は正面側からみたウェットティッシュウォーマーの外観図。
【図１８】図１８は背面側からみたウェットティッシュウォーマーの外観図。
【発明を実施するための形態】
【００１６】
＜第１の実施の形態＞
以下、図面を参照して、第１の実施の形態によるウェットティッシュウォーマーについて説明する。ここで図１Ａ乃至図１３は本開示の第１の実施の形態によるウェットティッシュウォーマーを示す図である。
【００１７】
図１Ａ乃至図４Ｃに示すように第１の実施の形態によるウェットティッシュウォーマー１は、可撓性材料から成る容器３（例えばビニール袋）の中に複数枚のウェットティッシュ２が収容されたウェットティッシュ収納体２Ａを収納して、常温よりも高い温度に加熱されたウェットティッシュ２を供給するためのものである（図１Ｂ参照）。
【００１８】
このようなウェットティッシュウォーマー１は図１Ａに示すように、４側面を含む側壁１１と底面１２とを有し、側壁１１上方に上方開口１０ａが形成された合成樹脂製の容器本体１０と、容器本体１０に開閉自在に設けられ、容器本体１０の上方開口１０ａを密閉するとともにウェットティッシュ２の取り出し口２１を有する合成樹脂製の中蓋２０と、容器本体１０に開閉自在に設けられ、中蓋２を覆うとともに、容器本体１０を密閉する蓋装置３０と、容器本体１０内に配置されウェットティッシュ収納体２Ａを押し上げる合成樹脂製の押し上げ板４０とを備えている。
【００１９】
また蓋装置３０は合成樹脂製の下板３３と、合成樹脂製の上板３４と、下板３３と上板３４との間の合成樹脂製の側板３５とを有し、内部に中空状の空間３０ａが形成されている。
【００２０】
また蓋装置３０の空間３０ａ内には後述のようにウェットティッシュ２を下板３３を介して加熱する加熱手段３６Ａが配置されている（図４Ａ乃至図４Ｃ参照）。
【００２１】
また容器本体１０内には、容器本体１０の底面１２と押し上げ板４０との間に介在され、押し上げ板４０を持ち上げる金属製のスプリング（押し上げ板付勢手段）５が設けられている。さらに容器本体１０の側壁１１のうち対向する側面、例えば側面１１ａ，１１ｂの内面には押し上げ板４０を係止する一対のストッパ機構５０，５０が設けられている。
【００２２】
次にウェットティッシュウォーマー１の各構成部分について更に述べる。ウェットティッシュウォーマー１の中蓋２０および蓋装置３０は、いずれも容器本体１０の上方開口上縁に設けられた揺動軸８に回動自在に取り付けられた基部２３Ａおよび基部３３Ａを有している。また蓋装置３０と中蓋２０は、容器本体１０の揺動軸に設けられたスプリング９ａ，９ｂによっていずれも開方向へ付勢されている。
【００２３】
また蓋装置３０は容器本体１０に設けられた係合部１７に係止される係止体３１を有する。この係止体３１は蓋装置３０の側板３５に設けられ、この側板３５には、係止体３１を側板３５に沿って移動させる操作体３２が設けられている。そしてこの操作体３２を指で移動させることにより、蓋装置３０の係止体３１が容器本体１０の係合部１７から外れて、蓋装置３０がスプリング９ａの力により開放される。なお、図４Ｂに示すように、操作体３２はスプリング３２ｂが巻き付けられた操作棒３２ａに連結され、このスプリング３２ｂにより操作体３２は係止体３１の係合部１７と係止する係止方向に付勢されている。
【００２４】
また中蓋２０は容器本体１０に設けられた一対の係合部１８に係止される一対の係止体２２を有し、一対の係止体２２を指により互いに接近する内側に向かって移動させる。このことにより中蓋２０の係止体２２が容器本体１０の係合部１８から外れて、中蓋２０がスプリング９ｂの力により開放される。
【００２５】
次に蓋装置３０について図４Ａ乃至図４Ｃにより説明する。図４Ａ乃至図４Ｃに示すように、蓋装置３０は下板３３と、上板３４と、下板３３と上板３４との間の側板３５とを有し、蓋装置３０の空間３０ａ内にウェットティッシュ２を下板３３を介して加熱する加熱手段３６Ａが配置されている。この加熱手段３６Ａは下板３３上に設けられたアルミニウム製の熱板３８と、熱板３８上に設けられたヒータ３６とを有する。また、蓋装置３０の上板３４には、指が挿入可能な把持溝３０Ａが設けられている。
【００２６】
このうちヒータ３６はヒータ要素３６ａと、ヒータ要素３６ａの下面および上面に設けられた一対の電極３６ｂ，３６ｃとを有し、電極３６ｃ上面には押さえ板３６ｄが設けられている。
【００２７】
そしてヒータ要素３６ａと、一対の電極３６ｂ，３６ｃと、押さえ板３６ｄは、これらヒータ要素３６ａと、一対の電極３６ｂ，３６ｃと、押さえ板３６ｄを貫通するビス３６ｅにより熱板３８に固定されている。
【００２８】
また一対の電極３６ｂ，３６ｃには、各々配線３７ｂ，３７ｃが接続され、配線３７ｂ，３７ｃは集合配線３７ｄを介して、容器本体１０に設けられ、外方へ露出するインレット７０（図１２参照）に接続されている。なおこの容器本体１０のインレット７０は、後述のように容器本体１０をベース８０上に載置することにより、ベース８０に設けられたマグネットコネクタ８１に接続されるようになっている。
【００２９】
さらにまた、図４Ｂおよび図４Ｃに示すように、蓋装置３０の下板３３に設けられた熱板３８とヒータ３６とからなる加熱手段３６Ａと、上板３４との間に、加熱手段３６Ａからの熱が上板３４側へ伝わることを防止するため、発泡性合成樹脂からなる断熱材３９が設けられている。このため加熱手段３６Ａからの熱は下板３３を介してウェットティッシュ収納体２Ａ側へ伝わるが、上板３４側へは伝わらないようになっている。
【００３０】
また蓋装置３０の下板３３は容器本体１０側へ向かって下方へ突出する凸部３３ａを有し、加熱手段３６Ａはこの凸部３３ａの内側に配置されている。そしてこの凸部３３ａにより蓋装置３０内の加熱手段３６Ａをより押し上げ板４０側へ移動させて、押し上げ板４０上のウェットティッシュ収納体２Ａを、下板３３の凸部３３ａと押し上げ板４０との間でスプリング５の力により押圧させながら、効果的に加熱することができる。また、中蓋２０には、下板３３の凸部３３ａが入り込む凹状部２３が形成され、下板３３の凸部３３ａを中蓋２０の凹状部２３内に嵌合させることにより、蓋装置３０により中蓋２０を密封状態で覆うことができる。
【００３１】
次に図８Ａ乃至図１０Ｂにより、容器本体１０の対向する側面１１ａ，１１ｂ内面に設けられ、押し上げ板４０と係合して押し上げ板４０の上昇を停止させる一対のストッパ機構５０について説明する。図８Ａ乃至図１０Ｂに示すように、各ストッパ機構５０は同一構造をもつ。すなわちストッパ機構５０は容器本体１０に固定されるストッパカバー５１と、ストッパカバー５１内に収納され、上下方向および横方向に移動可能な一対のストッパラック５２，５３とを有し、各ストッパラック５２，５３にはストッパカバー５１から横方向外方へ突出する複数の爪５２ａ，５３ａが設けられている。このような構成からなるストッパ機構５０は止めねじ６１により容器本体１０内に固定される。この場合、各ストッパ機構５０のストッパカバー５１は平坦面５１Ａを有し、各ストッパ機構５０は、平坦面５１Ａが容器本体１０の内側を向くように配置される。
【００３２】
この場合、各ストッパ機構５０のストッパカバー５１はその幅ａが、その厚みｂより大きな薄型の箱形形状をもつ。また、ストッパカバー５１は容器本体１０内への突出量を抑えるためその幅ｂの方向（以下、幅方向）が容器本体１０の対向する側面１１ａ，１１ｂに平行となるよう側面１１ａ，１１ｂの内面に沿って配置されている（図８Ａおよび図８Ｂ参照）。またストッパカバー５１内に収納されたストッパラック５２の爪５２ａおよびストッパラック５３の爪５３ａは、いずれも、容器本体１０の側面１１ａ，１１ｂに平行な方向に突出する。このように、ストッパ機構のストッパカバー５１を薄型に形成して、その幅方向が側面１１ａ，１１ｂと平行になるよう配置し、かつストッパラック５２の爪５２ａおよびストッパラック５３の爪５３ａがいずれも容器本体１０の側面１１ａ，１１ｂに平行な方向に突出するようにしたので、ストッパ機構５０をなるべく薄く構成することができる。またストッパ機構５０の容器本体１０内への突出量をできるだけ抑えることができる。
【００３３】
またストッパラック５２，５３の爪５２ａ，５３ａが容器本体１０の側面１１ａ，１１ｂに平行な方向に突出するようにしたので、ストッパ機構５０の厚みａの方向（以下、厚み方向）と、ストッパラック５２，５３の爪５２ａ，５３ａの突出方向が直交する。このためストッパ機構５０を薄く構成しても、ストッパラック５２，５３の爪５２ａ，５３ａと押し上げ板４０との係合が容易に外れることはない。すなわち、ストッパ機構５０のストッパラック５２，５３の爪５２ａ、５３ａが容器本体１０の側面１１ａ、１１ｂに直交して容器本体１０の内方へ向かって突出するようにした場合、ストッパ機構５０の厚みを小さくすると、それに伴って爪５２ａ、５３ａの突出量も小さくなり、ストッパラック５２，５３の爪５２ａ，５３ａと押し上げ板４０との係合が簡単に外れることも考えられる。これに対して本実施の形態によれば、ストッパ機構５０の厚み方向と、ストッパラック５２，５３の爪５２ａ，５３ａの突出方向が直交する。このためストッパ機構５０を薄く構成しても、ストッパラック５２，５３の爪５２ａ，５３ａと押し上げ板４０との係合が容易に外れることはない。
【００３４】
なお本明細書において、「上下方向」とはウェットティッシュウォーマー１を、底面１２を下方へ向けて載置した場合における「上下方向」をいい、「ストッパ機構５０の上下方向」とは、ウェットティッシュウォーマー１を、底面１２を下方へ向けて載置した場合における、図９Ａ乃至図９Ｄに示す「ストッパ機構５０の上下方向」をいう。また「ストッパ機構５０の横方向」とはウェットティッシュウォーマー１を、底面１２を下方に向けて載置した場合における、図９Ａ乃至図９Ｄに示す「ストッパ機構５０の横方向（左右方向）」をいい、容器本体１０の側面１１ａ、１１ｂと平行する方向となるとともに、ストッパカバー５１の幅方向とも一致する。
【００３５】
図８Ａ乃至図１０Ｂに示すように、ストッパカバー５１内に収納された一対のストッパラック５２，５３のうちストッパラック５２は上下方向に並ぶ複数の爪５２ａを有し、ストッパカバー５１内で上下方向および横方向へ移動可能となっている。
【００３６】
またストッパラック５３は上下方向に並ぶ複数の爪５３ａを有し、ストッパカバー５１内で上下方向および横方向へ移動可能となっている。
【００３７】
またストッパカバー５１には上下方向に設けられた一対のピン５８が設けられ、各ストッパラック５２，５３には各ピン５８が入り込む一対の傾斜穴５２ｂ，５３ｂが設けられている。
【００３８】
さらに、図９Ａおよび図９Ｂに示すように、各ストッパラック５２，５３には、上下方向に並んでスプリング（ストッパラック付勢手段）５４，５５が設けられ、スプリング５４によりストッパラック５２は横方向一側（右側）外方へ付勢され、スプリング５５によりストッパラック５３は横方向他側（左側）外方へ付勢されている。
【００３９】
図９Ｃおよび図９Ｄに示すように、ストッパラック５３には上述のようにストッパカバー５１の一対のピン５８内に入り込む一対の傾斜穴５３ｂが設けられ、さらにストッパラック５３の上下方向に配置されたスプリング５５，５５は、ストッパラック５３に設けられた一対の支持ピン５５ａ，５５ａ外周に装着されている。
【００４０】
なお、ストッパラック５２も図９Ｃおよび図９Ｄに示すストッパラック５３と同様の構造をもつ。
【００４１】
また、各ストッパラック５２，５３の上部には上部体５９が配置されている。この上部体５９は容器本体１０に対して蓋装置３０を閉じた際、蓋装置３０の突起６０により下方へ押圧される。そして上部体５９が蓋装置３０の突起６０により下方へ押圧されると、上部体５９は各ストッパラック５２，５３を各々下方へ移動させる（図１０Ａ参照）。
【００４２】
このとき各ストッパラック５２，５３の、傾斜穴５２ｂ，５３ｂ内にストッパカバー５１のピン５８が装着されているため、図９Ａに示すように、ストッパカバー５１内でストッパラック５２は左方向下方へ、スプリング５４の力に抗して移動する。このときストッパラック５２の爪５２ａはストッパカバー５１の横方向一側（右側）から内方へ引っ込む。
【００４３】
同様にストッパカバー５１内でストッパラック５３は右方向下方へ、スプリング５５の力に抗して移動する。このときストッパラック５３の爪５３ａはストッパカバー５１の横方向他側（左側）から内方へ引っ込む（図９Ａ参照）。
【００４４】
このようにストッパ機構５０のストッパラック５２の爪５２ａが横方向一側から内方へ引っ込み、ストッパラック５３の爪５３ａが横方向他側から内方へ引っ込むと、後述のようにストッパラック５２の爪５２ａおよびストッパラック５３の爪５３ａと押し上げ板４０との係合が外れる。
【００４５】
なお容器本体１０から蓋装置３０を開としたとき、蓋装置３０の突起６０は上部体５９から離れる。これに伴なってストッパカバー５１内において、ストッパラック５２は傾斜穴５２ｂ内にピン５８が挿入されているためスプリング５４の力により右方向上方へ戻され、ストッパラック５２の爪５２ａはストッパカバー５１の横方向一側（右側）から外方へ突出する（図９Ａ〜図９Ｄ）。
【００４６】
同様にストッパラック５３は、傾斜穴５３ｂ内にピン５８が挿入されているため、スプリング５５の力により左方向上方へ戻され、ストッパラック５３の爪５３ａはストッパカバー５１の横方向他側（左側）から外方へ突出する（図９Ａ〜図９Ｄ）。
【００４７】
このようにストッパ機構５０のストッパラック５２の爪５２ａが横方向一側から外方へ突出し、ストッパラック５３の爪５３ａが横方向他側から外方へ突出することにより、ストッパラック５２の爪５２ａとストッパラック５３の爪５３ａが押し上げ板４０と係合する。
【００４８】
次に図７により容器本体１０の内部構造を説明する。図７に示すように容器本体１０の底面１２にはスプリング５の一端を収納するためのスプリング収納壁（押し上げ板付勢手段収納壁）１４が設けられている。このスプリング収納壁１４は断続的に形成され、スプリング収納壁１４には所定間隔をおいて、水分逃がし開口１４ａが設けられている。ウェットティッシュ２は使用中内部から水分を放出するため、ウェットティッシュ２からの水分が底面１２、とりわけスプリング収納壁１４により囲まれた領域１２Ａに溜まることが考えられる。
【００４９】
本実施の形態においては、スプリング収納壁１４の内面に複数のリブ１５を設け、スプリング収納壁１４内にスプリング５を配置するとともに、このスプリング５を複数のリブ１５上に支持している。このことにより、底面１２の領域１２Ａに溜まる水分により金属製のスプリング５が腐食したり劣化することを確実に防止することができる。また底面１２のうちスプリング収納壁１４内の領域１２Ａに溜まる水分は、水分逃がし開口１４ａにより、領域１２Ａ以外の領域１２Ｂへ排出することができる。
【００５０】
また容器本体１０の底面１２には、内側へ引っ込む凸部１６が形成され、この凸部１６は後述する底面１２の外面に対して引っ込む凹状溝７２に対応している。また容器本体１０の側壁１１内面には、上下方向に延びる補助リブ１１ｅが設けられ、底面１２にも補助リブ１２ａが設けられている。
【００５１】
ところで、図５および図６に示すように容器本体１０内に収納された押し上げ板４０は、一端が底面１２のスプリング収納壁１４内に収納されたスプリング５の他端を収納するスプリング収納壁４４を有する。また押し上げ板４０は平面視で略矩形状をもち、容器本体１０の側面１１ａ，１１ｂに対応する２辺４０ａ，４０ｂに、ストッパ機構５０が入り込む凹部（係止用凹部）４１，４１が設けられている。この場合、凹部４１，４１は、押し上げ板４０の２辺４０ａ，４０ｂの中央部に設けられている。また押し上げ板４０の凹部４１，４１内に入り込むストッパ機構５０の爪５２ａ，５３ａは、凹部４１，４１の２辺４０ａ，４０ｂと平行な方向に位置する両端部４１ａ，４１ａと係合して、押し上げ板４０を係止するようになっている。また押し上げ板４０には容器本体１０の上下方向に延びる補助リブ１１ｅが係合して、押し上げ板４０を補助リブ１１ｅに沿って案内する案内溝４２が設けられている。
【００５２】
また、図１１Ａ乃至図１３に示すように、ウェットティッシュウォーマー１は、容器本体１０を載置するベース８０を更に備えている。この場合、ベース８０にはマグネットコネクタ８１が設けられ、このマグネットコネクタ８１に、電源（図示せず）に接続された配線コード８３が連結されている。
【００５３】
またベース８０上には、マグネットコネクタ８１が向く方向Ｌに平行に延びる一対の案内突部８２，８２が設けられ、各案内突部８２，８２は容器本体１０の底面１２外側に設けられた一対の凹状溝７２に嵌合するようになっている。この場合、マグネットコネクタ８１は、一対の案内突部８２，８２の延長線Ｌ１間の中央に位置している。また、マグネットコネクタ８１が向かう方向Ｌは、後述する容器本体１０の挿入方向と平行になっている。
【００５４】
上述のように、容器本体１０の側壁１１下方には外方へ露出するインレット７０が設けられ、この容器本体１０のインレット７０はベース８０のマグネットコネクタ８１にワンタッチで吸着されて電気的に接続される。
【００５５】
この場合、ベース８０の一対の案内突部８２，８２はマグネットコネクタ８１が向かう方向Ｌに直行する側方からみてなだらかな山形状をなし、容器本体１０側の凹状溝７２も案内突部８２，８２に対応する山形状をもつ。
【００５６】
図１２に示すように、ウェットティッシュウォーマー１の蓋装置３０に設けられた把持溝３０Ａ内に指を挿入し、蓋装置３０を片手で把持する。次に容器本体１０と蓋装置３０をインレット７０がマグネットコネクタ８１側を向くようにしてベース８０上に載置する。このときベース８０上の案内突部８２，８２が容器本体１０側の凹状溝７２内に嵌合する。その後、容器本体１０と蓋装置３０をマグネットコネクタ８１側へ一対の案内突部８２，８２が延びる挿入方向に沿って摺動させる。
【００５７】
この場合、ベース８０上の案内突部８２，８２が側方からみてなだらかな山形状をなしているため、容器本体１０がマグネットコネクタ８１側へ移動する際、容器本体１０はその高さが下方へ徐々に下がっていく。このようにして、容器本体１０のインレット７０は、マグネットコネクタ８１側へ接近すると同時にインレット７０とマグネットコネクタ８１との高さが一致する（図１３参照）。さらに容器本体１０と蓋装置３０とをマグネットコネクタ８１側へ移動させることにより、片手のみの操作で、容器本体１０のインレット７０をベース８０のマグネットコネクタ８１にワンタッチで吸着させ、かつ接続させることができる。
【００５８】
また、容器本体１０をベース８０から取り外す場合、まず容器本体１０の把持溝３０Ａを持ち、インレット７０とマグネットコネクタ８１の接続部を中心として容器本体１０を上方へ回動させ、インレット７０とマグネットコネクタ８１の接続を解除する。次に容器本体１０をベース８０のマグネットコネクタ８１から引き離す。このことにより、容器本体１０をベース８０から簡単に取り外すことができる。
【００５９】
ところで、本実施の形態において、マグネットコネクタ８１にインレット７０が接続された状態で、一対の案内突部８２，８２のピークＰ１は一対の凹状溝７２，７２のピークＰ２に対してマグネットコネクタ８１側に位置していることが好ましい（図１１Ｂ参照）。この場合、ベース８０の一対の案内突部８２，８２に一対の凹状溝７２，７２を嵌合させて、容器本体１０をベース８０上でマグネットコネクタ８１側へ摺動させると、一対の案内突部８２，８２により一対の凹状溝７２，７２をマグネットコネクタ８１側へ押圧することができる。このことにより、容器本体１０のインレット７０をベース８０のマグネットコネクタ８１側に押圧して、インレット７０とのマグネットコネクタ８１を確実に接続することができる。ここで、図１１Ｂは一対の案内突部と一対の凹状溝を示す概略図である。
【００６０】
次にこのような構成からなる本実施の形態の作用について説明する。
【００６１】
まずウェットティッシュウォーマー１の蓋装置３０に設けられている操作体３２を操作して係止体３１と容器本体１０の係合部１７との係合を解除し、蓋装置３０をスプリング９ａの力により開放する。
【００６２】
次に中蓋２０の一対の係止体２２を互いに接近する方向に移動させ、一対の係止体２２と容器本体１０の係合部１８との係合を解除し、中蓋２０をスプリング９ｂの力により開放させる（図２参照）。
【００６３】
この場合、蓋装置３０の突起６０が一対のストッパ機構５０の上部体５９から離れるため、ストッパ機構５０のストッパラック５２の爪５２ａおよびストッパラック５３の爪５３ａはスプリング５４およびスプリング５５の力によりストッパカバー５１の横方向両側から外方へ突出する。その後、容器本体１０内の押し上げ板４０上にウェットティッシュ収納体２Ａが載置される。
【００６４】
次に押し上げ板４０上のウェットティッシュ収納体２Ａを上方から下方へ押し込む。この場合、ストッパラック５２の爪５２ａおよびストッパラック５３の爪５３ａは山形状をなし、各爪５２ａ，５３ａはいずれも傾斜する上面６２と水平に形成された下面６３とを有する。このため押し上げ板４０はストッパラック５２の爪５２ａの上面６２およびストッパラック５３の爪５３ａの上面６２上を摺動し、ストッパラック５２の爪５２ａおよびストッパラック５３の爪５３ａをストッパカバー５１に対して横方向両側から内方へ引っ込ませながら下方へ移動する。その後、押し上げ板４０は、ストッパラック５２の最下方の爪５２ａの下方およびストッパラック５３の最下方の爪５３ａの下方に達する。
【００６５】
その後、中蓋２０が閉じられ、容器本体１０の上方開口１０ａが中蓋２０により密閉され、その後蓋装置３０が閉じられ、中蓋２０は蓋装置３０により覆われる。
【００６６】
この場合、蓋装置３０の突起６０が、中蓋２０の開口２０ａおよびストッパ機構５０のストッパカバー５１の上端開口５１ａを通って下方に延びて上部体５９を下方へ押圧する。このことによりストッパラック５２の爪５２ａおよびストッパラック５３の爪５３ａはストッパカバー５１の横方向両端から内方へ引っ込む。
【００６７】
このため、押し上げ板４０はストッパ機構５０による制約を受けることなく、スプリング５の力により上方へ押し上げられ、押し上げ板４０上のウェットティッシュ収納体２Ａは蓋装置３０の下板３３下面に押し付けられる。
【００６８】
この間、ウェットティッシュ収納体２Ａのウェットティッシュ２は、蓋装置３０に内蔵された加熱手段３６Ａにより下板３３を介して加熱される。
【００６９】
使用に際しては、容器本体１０から蓋装置３０を開放する（図４Ａ参照）。
【００７０】
次に加熱手段３６Ａにより加熱されてウェットティッシュ収納体２Ａのウェットティッシュ２を中蓋２０の取り出し口２１から外方へ取り出すことができる。
【００７１】
この場合、容器本体１０から蓋装置３０が開放されるため蓋装置３０の突起６０がストッパ機構５０の上部体５９から離れる。これに伴なってストッパ機構５０のストッパラック５２の爪５２ａおよびストッパラック５３の爪５３ａがストッパカバー５１の横方向両側から外方へ突出し、押し上げ板４０が爪５２ａおよび爪５３ａの下面６３と係合してその上昇移動が妨げられる。このことによりウェットティッシュ収納体２Ａに押し上げ板４０から大きな力が加わることはなく、ウェットティッシュ２を中蓋２０の取り出し口からスムーズに取り出すことができる。
【００７２】
次にベース８０上に容器本体１０を装着する作用について述べる。
【００７３】
まず図１２に示すように、ウェットティッシュウォーマー１の蓋装置３０に設けられた把持溝３０Ａ内に指を挿入し、蓋装置３０を片手で把持する。次に容器本体１０と蓋装置３０をインレット７０がマグネットコネクタ８１側を向くようにしてベース８０上に載置する。このときベース８０上の案内突部８２，８２が容器本体１０側の凹状溝７２内に嵌合する。その後、容器本体１０と蓋装置３０をマグネットコネクタ８１側へ一対の案内突部８２，８２が延びる方向に沿って摺動させる。
【００７４】
この場合、ベース８０上の案内突部８２，８２が側方からみてなだらかな山形状をなしているため、容器本体１０がマグネットコネクタ８１側へ移動する際、容器本体１０はその高さが下方へ徐々に下がっていく。このようにして、容器本体１０のインレット７０は、マグネットコネクタ８１側へ接近すると同時にインレット７０とマグネットコネクタ８１との高さが一致する（図１３参照）。さらに容器本体１０と蓋装置３０とをマグネットコネクタ８１側へ移動させることにより、片手のみの操作で、容器本体１０のインレット７０をベース８０のマグネットコネクタ８１にワンタッチで吸着させ、かつ接続させることができる。
【００７５】
また、容器本体１０をベース８０から取り外す場合、まず容器本体１０の把持溝３０Ａを持ち、インレット７０とマグネットコネクタ８１の接続部を中心として容器本体１０を上方へ回動させ、インレット７０とマグネットコネクタ８１の接続を解除する。次に容器本体１０をベース８０のマグネットコネクタ８１から引き離す。このことにより、容器本体１０をベース８０から簡単に取り外すことができる。
【００７６】
以上のように本実施の形態によれば、容器本体１０内に設けられた一対のストッパ機構５０は、その幅ａが厚みｂより大きな薄型の箱形形状をもつストッパカバー５１を有し、ストッパカバー５１は容器本体１０の対向する側面１１ａ，１１ｂに平行となるよう側面１１ａ，１１ｂの内面に沿って配置されている。またストッパラック５２の爪５２ａおよびストッパラック５３の爪５３ａが容器本体１０の側面１１ａ，１１ｂに平行な方向に突出する。このためストッパ機構５０をなるべく薄く構成することができ、このためストッパ機構５０の容器本体１０内への突出量を抑えることができる。またストッパカバー５１は上下方向に並んで設けられた一対のピン５８を有し、ストッパラック５２，５３は各々上下方向に並んで設けられたスプリング５４，５５を有するため、ストッパラック５２，５３を傾けることなく精度良く横方向に移動させることができる。
【００７７】
さらにストッパラック５２，５３の爪５２ａ，５３ａは容器本体１０の側面１１ａ，１１ｂに平行な方向に突出するため、ストッパ機構５０を薄く構成しても、ストッパラック５２，５３の爪５２ａ，５３ａと押し上げ板４０との係合が容易に外れることはない。すなわち、ストッパ機構５０のストッパラック５２，５３の爪５２ａ、５３ａが容器本体１０の側面１１ａ、１１ｂに直交して突出するようにした場合、ストッパ機構５０の厚みを小さくすると、それに伴って爪５２ａ、５３ａの突出量も小さくなり、ストッパラック５２，５３の爪５２ａ，５３ａと押し上げ板４０との係合が簡単に外れることも考えられる。これに対して本実施の形態によれば、ストッパ機構５０の厚み方向と、ストッパラック５２，５３の爪５２ａ，５３ａの突出方向が直交する。このためストッパ機構５０を薄く構成しても、ストッパラック５２，５３の爪５２ａ，５３ａと押し上げ板４０との係合が容易に外れることはない。
【００７８】
また容器本体１０の底面１２にスプリング５の一端を収納するスプリング収納壁１４が設けられ、スプリング収納壁１４の内面に複数のリブ１５を設け、スプリング５をこのリブ１５上に載置する。このため底面１２のうちスプリング収納壁１４内の領域１２Ａにウェットティッシュ２から放出された水分が溜まっても、金属製のスプリング５が腐食することはない。
【００７９】
さらにまた、ベース８０上に平行する一対の案内突部８２，８２が設けられ、容器本体１０の底面に案内突部８２，８２に嵌合する一対の凹状溝７２，７２が設けられている。このため容器本体１０と蓋装置３０を片手で把持し、ベース８０上の一対の案内突部８２，８２に容器本体１０の一対の凹状溝７２，７２を嵌合させ、容器本体１０をベース８０に沿ってマグネットコネクタ８１側へ摺動させるだけで、容器本体１０のインレット７０をベース８０のマグネットコネクタ８１にワンタッチで吸着させ、かつ接続させることができる。この場合、マグネットコネクタ８１を有するベース８０とインレット７０を有する容器本体１０とによりクレードル構造が構成される。
【００８０】
さらにまた、蓋装置３０の下板３３は、下方へ突出する凸部３３ａを有し、この凸部３３ａにより蓋装置３０内部の空間３０ａをより広くとることができる。また下板３３は容器本体１０側に向かって下方へ突出する凸部３３ａを有し、加熱手段３６Ａは凸部３３ａ内部に配置されているため、この凸部３３ａにより蓋装置３０内の加熱手段３６Ａをより押し上げ板４０側へ移動させることができる。このため、押し上げ板４０側に位置する加熱手段３６Ａにより、ウェットティッシュ収納体２Ａを下板３３の凸部３３ａと押し上げ板４０との間でスプリング５の力により押圧させながら、効果的に加熱することができる。さらにまた下板３３に凸部３３ａを設けることにより加熱手段３６Ａと上板３４との間の間隔を広くとることができ、加熱手段３６Ａと上板３４との間に、厚さが大きな断熱材３９を配置することができる。このことにより加熱手段３６Ａからの熱が上板３４側へ伝熱されることを効果的に防ぐことができる。また、中蓋２０には、下板３３の凸部３３ａが入り込む凹状部２３が形成され、下板３３の凸部３３ａを中蓋２０の凹状部２３内に嵌合させることにより、蓋装置３０により中蓋２０を密封状態で覆うことができる。
【００８１】
＜第２の実施の形態＞
次に図１４乃至図１８により第２の実施の形態によるウェットティッシュウォーマーについて説明する。
【００８２】
図１４乃至図１８に示す第２の実施の形態において、図１Ａ乃至図１３に示す第１の実施の形態と同一部分には同一符号を付して詳細な説明は省略する。
【００８３】
このようなウェットティッシュウォーマー１は、図１４、図１５および図１７に示すように４側面を含む側壁１１と底面１２とを有し、側壁１１上方に上方開口１０ａが形成された合成樹脂製の容器本体１０と、容器本体１０に開閉自在に設けられ、容器本体１０の上方開口１０ａを密閉するとともにウェットティッシュ２の取り出し口２１を有する合成樹脂製の中蓋２０と、容器本体１０に開閉自在に設けられ、容器本体１０を密閉する中蓋２０を覆う蓋装置３０と、容器本体１０内に配置されウェットティッシュ収納体２Ａを押し上げる合成樹脂製の押し上げ板４０とを備えている。
【００８４】
また蓋装置３０は合成樹脂製の下板３３と、合成樹脂製の上板３４と、下板３３と上板３４との間の合成樹脂製の側板３５とを有し、内部に中空状の空間３０ａが形成されている。
【００８５】
また蓋装置３０の空間３０ａ内には後述のようにウェットティッシュ２を下板３３を介して加熱する加熱手段３６Ａが配置されている（図４Ａ乃至図４Ｃ参照）。
【００８６】
また容器本体１０内には、容器本体１０の底面１２と押し上げ板４０との間に介在され、押し上げ板４０を持ち上げる金属製のスプリング（押し上げ板付勢手段）５が設けられている。さらに容器本体１０の側壁１１のうち対向する側面、例えば側面１１ａ，１１ｂ内面には押し上げ板４０を係止する一対のストッパ機構５０，５０が設けられている。
【００８７】
次にウェットティッシュウォーマー１の各構成部分について更に述べる。ウェットティッシュウォーマー１の中蓋２０および蓋装置３０は、いずれも容器本体１０の上方開口上縁に設けられた揺動軸８に回動自在に取り付けられた基部２３Ａおよび基部３３Ａを有している。また蓋装置３０と中蓋２０は、容器本体１０の揺動軸に設けられたスプリング９ａ，９ｂによっていずれも開方向へ付勢されている。
【００８８】
また蓋装置３０は容器本体１０に設けられた係合部１７に係止される係止体３１を有する。この係止体３１は蓋装置３０の側板３５に設けられ、この側板３５には、係止体３１を側板３５に沿って移動させる操作体３２が設けられている。そしてこの操作体３２を指で移動させることにより、蓋装置３０の係止体３１が容器本体１０の係合部１７から外れて、蓋装置３０がスプリング９ａの力により開放される。なお、図４Ｂに示すように、操作体３２はスプリング３２ｂが巻き付けられた操作棒３２ａに連結され、このスプリング３２ｂにより操作体３２は係止体３１の係合部１７と係止する係止方向に付勢されている。
【００８９】
また中蓋２０は容器本体１０に設けられた一対の係合部１８に係止される一対の係止体２２を有し、一対の係止体２２を指により互いに接近する内側に向かって移動させる。このことにより中蓋２０の係止体２２が容器本体１０の係合部１８から外れて、中蓋２０がスプリング９ｂの力により開放される。
【００９０】
次に蓋装置３０について図１４および図１５により説明する。蓋装置３０は下板３３と、上板３４と、下板３３と上板３４との間の側板３５とを有し、蓋装置３０の空間３０ａ内にウェットティッシュ２を下板３３を介して加熱する加熱手段３６Ａが配置されている。
【００９１】
また蓋装置３０の下板３３は、容器本体１０側へ突出する凸部３３ａを有する。蓋装置３０に内蔵された加熱手段３６Ａは第１の実施の形態で示す加熱手段３６Ａと同様の構造をもち、かつ下板３３が凸部３３ａを有する。また、加熱手段３６Ａはこの凸部３３ａ内部に配置され、このため、加熱手段３６Ａは容器本体１０側に位置している（図４Ｂおよび図４Ｃ参照）。そして蓋装置３０の加熱手段３６Ａは、容器本体１０内に延びる集合配線３７ｄに接続され、この集合配線３７ｄは容器本体１０に接続部８５を介して連結された配線コード８６に接続されている（図１７参照）。
【００９２】
また、上述のように、容器本体１０の側壁１１のうち、対向する側面１１ａ，１１ｂ内面には、押し上げ板４０を係止する一対のストッパ機構５０，５０が設けられている。この一対のストッパ機構５０，５０は、容器本体１０の側面１１ａ，１１ｂ内面に沿って設けられているが、一対のストッパ機構５０，５０、押し上げ板４０および一対のストッパ機構５０，５０と押し上げ板４０との係止構造は、図５乃至図１０Ｂに示す第１の実施の形態の構造と略同一である。
【００９３】
次に図１６により容器本体１０の内部構造を説明する。図１６に示すように容器本体１０の底面１２には金属製のスプリング５の一端を収納するためのスプリング収納壁１４が設けられている。このスプリング収納壁１４は断続的に形成され、スプリング収納壁１４には所定間隔をおいて、水分逃がし開口１４ａが設けられている。ウェットティッシュ２は使用中内部から水分を放出するため、ウェットティッシュ２からの水分が底面１２、とりわけスプリング収納壁１４により囲まれた領域１２Ａに溜まることが考えられる。
【００９４】
本実施の形態においては、底面１２のうちスプリング収納壁１４により囲まれた領域１２Ａは、他の領域１２Ｂに対して上方へ盛り上がり、また、領域１２Ａから他の領域１２Ｂに向かって徐々に下降している。
【００９５】
このためウェットティッシュ２から底面１２のうち、スプリング収納壁１４により囲まれた領域１２Ａ内に溜まる水分を、水分逃がし開口１４ａを介して、領域１２Ａ以外の領域１２Ｂへ効果的に排出することができる。
【００９６】
底面１２のスプリング収納壁１４内には、金属製のスプリング５の一端が収納されるが、スプリング収納壁１４により囲まれた領域１２Ａから水分を他の領域１２Ｂへ効果的に排出することができるため、スプリング５が水分により腐食したり劣化することはない。
【００９７】
なお容器本体１０の側壁１１内面には、上下方向に延びる補助リブ１１ｅが設けられ、この補助リブ１１ｅは押し上げ板４０の案内溝４２と係合する（図５および図６参照）。
【００９８】
以上のように本実施の形態によれば、容器本体１０内に設けられた一対のストッパ機構５０は、その幅ａが厚みｂより大きな薄型の箱形形状をもつストッパカバー５１を有し、ストッパカバー５１は容器本体１０の対向する側面１１ａ，１１ｂに平行となるよう側面１１ａ，１１ｂの内面に沿って配置されている。またストッパラック５２の爪５２ａおよびストッパラック５３の爪５３ａが容器本体１０の側面１１ａ，１１ｂに平行な方向に突出する。このためストッパ機構５０をなるべく薄く構成することができ、このためストッパ機構５０の容器本体１０内への突出量を抑えることができる。
【００９９】
さらにまた、ストッパラック５２，５３の爪５２ａ，５３ａは容器本体１０の側面１１ａ，１１ｂに平行な方向に突出するため、ストッパ機構５０を薄く構成しても、ストッパラック５２，５３の爪５２ａ，５３ａと押し上げ板４０との係合が容易に外れることはない。すなわち、ストッパ機構５０のストッパラック５２，５３の爪５２ａ、５３ａが容器本体１０の側面１１ａ、１１ｂに直交して突出するようにした場合、ストッパ機構５０の厚みを小さくすると、それに伴って爪５２ａ、５３ａの突出量も小さくなり、ストッパラック５２，５３の爪５２ａ，５３ａと押し上げ板４０との係合が簡単に外れることも考えられる。これに対して本実施の形態によれば、ストッパ機構５０の厚み方向と、ストッパラック５２，５３の爪５２ａ，５３ａの突出方向が直交する。このためストッパ機構５０を薄く構成しても、ストッパラック５２，５３の爪５２ａ，５３ａと押し上げ板４０との係合が容易に外れることはない。
【０１００】
また容器本体１０の底面１２にスプリング５の一端を収納するスプリング収納壁（押し上げ板付勢手段収納壁）１４が設けられ、底面１２のうちスプリング収納壁１４により囲まれた領域１２Ａは、他の領域１２Ｂに比べて上方へ盛り上がっている。このため底面１２のうちスプリング収納壁１４内の領域１２Ａにウェットティッシュ２から放出された水分が溜まっても、この水分は領域１２Ａから他の領域１２Ｂへ水分逃がし開口１４ａを介して排出される。このためスプリング収納壁１４内に収納されたスプリング５が腐食したり劣化することはない。
【０１０１】
さらにまた、蓋装置３０の下板３３は、下方へ突出する凸部３３ａを有し、この凸部３３ａにより蓋装置３０内部の空間３０ａをより広くとることができる。また下板３３は容器本体１０側へ向かって下方へ突出する凸部３３ａを有し、加熱手段３６Ａは凸部３３ａ内部に配置されている。このため、この凸部３３ａにより蓋装置３０内の加熱手段３６Ａをより押し上げ板４０側へ移動させることができる。このことにより押し上げ板４０側に位置する加熱手段３６Ａにより、ウェットティッシュ収納体２Ａを、下板３３の凸部３３ａと押し上げ板４０との間でスプリング５の力により押圧させながら、効果的に加熱することができる。さらにまた下板３３に凸部３３ａを設けることにより加熱手段３６Ａと上板３４との間の間隔を広くとることができ、加熱手段３６Ａと上板３４との間に、厚さが大きな断熱材３９を配置することができる。このことにより加熱手段３６Ａからの熱が上板３４側へ伝熱されることを効果的に防ぐことができる。また、中蓋２０には、下板３３の凸部３３ａが入り込む凹状部２３が形成され、下板３３の凸部３３ａを中蓋２０の凹状部２３内に嵌合させることにより、蓋装置３０により中蓋２０を密封状態で覆うことができる。
【符号の説明】
【０１０２】
１  ウェットティッシュウォーマー
２  ウェットティッシュ
２Ａ  ウェットティッシュ収納体
３  容器
５  スプリング
１０  容器本体
１１  側壁
１１ｅ  補助リブ
１２  底面
１２ａ  補助リブ
１２Ａ  スプリング収納壁により囲まれた領域
１２Ｂ  他の領域
１４  スプリング収納壁
１５  リブ
２０  中蓋
２１  取り出し口
２３  凹状部
３０  蓋装置
３０ａ  空間
３３  下板
３３ａ  凸部
３４  上板
３５  側板
３６Ａ  加熱手段
４０  押し上げ板
４１  係止用凹部
５０  ストッパ機構
５１  ストッパカバー
５２  ストッパラック
５２ａ  爪
５２ｂ  傾斜穴
５３  ストッパラック
５３ａ  爪
５３ｂ  傾斜穴
５８  ピン
５９  上部体
６０  突起
７０  インレット
８０  ベース
８１  マグネットコネクタ
【図１Ａ】
2020183263.tif 000003
【図１Ｂ】
2020183263.tif 000004
【図２】
2020183263.tif 000005
【図３】
2020183263.tif 000006
【図４Ａ】
2020183263.tif 000007
【図４Ｂ】
2020183263.tif 000008
【図４Ｃ】
2020183263.tif 000009
【図５】
2020183263.tif 000010
【図６】
2020183263.tif 000011
【図７】
2020183263.tif 000012
【図８Ａ】
2020183263.tif 000013
【図８Ｂ】
2020183263.tif 000014
【図９Ａ】
2020183263.tif 000015
【図９Ｂ】
2020183263.tif 000016
【図９Ｃ】
2020183263.tif 000017
【図９Ｄ】
2020183263.tif 000018
【図１０Ａ】
2020183263.tif 000019
【図１０Ｂ】
2020183263.tif 000020
【図１１Ａ】
2020183263.tif 000021
【図１１Ｂ】
2020183263.tif 000022
【図１２】
2020183263.tif 000023
【図１３】
2020183263.tif 000024
【図１４】
2020183263.tif 000025
【図１５】
2020183263.tif 000026
【図１６】
2020183263.tif 000027
【図１７】
2020183263.tif 000028
【図１８】
2020183263.tif 000029